(57)【要約】【課題】排気ファンの排気温度より高い発熱温度となる装置に対し、効率的に冷却できるプロジェクターを提供する。【解決手段】プロジェクター１は、光源装置と、光源装置から射出された光束を画像情報に応じて変調する光変調装置と、光変調装置で変調された光束を投写する投写レンズ３５と、を備えるプロジェクターであって、光源装置、光変調装置、及び投写レンズ３５を収容する外装筐体２と、外装筐体２に設置された排気口（第１光源用排気口２３１）から外装筐体２の内部の空気を外部に排気する排気ファン（第１排気ファン６１）と、所定の機能を提供すると共に、第１排気ファン６１の排気温度よりも高い発熱温度となる機能装置（無線装置８）と、を備え、無線装置８は、第１排気ファン６１の下流側に設置され、第１排気ファン６１から吐出される排気の一部が無線装置８に流動する。【選択図】図４
2014235360.tif 000002
【特許請求の範囲】
【請求項１】
光源装置と、当該光源装置から射出された光束を画像情報に応じて変調する光変調装置と、当該光変調装置で変調された光束を投写する投写レンズと、を備えるプロジェクターであって、
前記光源装置、前記光変調装置、及び前記投写レンズを収容する外装筐体と、
前記外装筐体に設置された排気口から前記外装筐体の内部の空気を外部に排気する排気ファンと、
所定の機能を提供すると共に、前記排気ファンの排気温度よりも高い発熱温度となる機能装置と、を備え、
前記機能装置は、前記排気ファンの下流側に設置され、前記排気ファンから吐出される排気の一部が前記機能装置に流動することを特徴とするプロジェクター。
【請求項２】
請求項１に記載のプロジェクターであって、
前記機能装置は、前記排気ファンの吐出口から外れた位置に設置されていることを特徴とするプロジェクター。
【請求項３】
請求項１または請求項２に記載のプロジェクターであって、
前記外装筐体は、
前記機能装置を流動した排気を前記外装筐体の外部に排気する第２の排気口を備えていることを特徴とするプロジェクター。
【請求項４】
請求項１〜請求項３のいずれか一項に記載のプロジェクターであって、
前記排気ファンから吐出される排気を流動する排気ダクトを備え、
前記排気ダクトは、
前記排気口に前記排気を流動する排気口側ダクトと、
前記機能装置に前記排気を流動する機能装置側ダクトと、を備えていることを特徴とするプロジェクター。
【請求項５】
請求項１〜請求項４のいずれか一項に記載のプロジェクターであって、
前記機能装置は、着脱可能に設置されていることを特徴とするプロジェクター。
【請求項６】
請求項５に記載のプロジェクターであって、
前記外装筐体には、前記機能装置の領域を覆う着脱可能なカバー部材を備えていることを特徴とするプロジェクター。
【請求項７】
請求項６に記載のプロジェクターであって、
前記カバー部材は、前記第２の排気口を備えていることを特徴とするプロジェクター。
【請求項８】
請求項１〜請求項７のいずれか一項に記載のプロジェクターであって、
前記機能装置は、無線通信が可能な無線装置であって、前記無線装置の受信部または送信部が、前記投写レンズから光束が射出される側を向いていることを特徴とするプロジェクター。
【発明の詳細な説明】
【技術分野】
【０００１】
本発明は、プロジェクターに関する。
【背景技術】
【０００２】
従来、光源装置から射出された光束を画像情報に応じて変調し、変調した光束を投写レンズで投写するプロジェクターが知られている。このようなプロジェクターは、光源の点灯に伴う構成部品の発熱を抑制するために、冷却ファン等で構成された冷却機構が備えられている。
【０００３】
また、近年、無線伝送技術の発展により、外部の装置から無線により送信された映像信号を受信する受信機を備えたシステムが提案されている（例えば、特許文献１参照）。
【０００４】
また、特許文献２では、（ａ）光変調装置と、（ｂ）投写レンズと、（ｃ）光変調装置を駆動するための第１制御装置と、（ｄ）所定の機能を提供するための第２制御装置と、（ｅ）光変調装置、第１制御装置、及び第２制御装置を収納する外装筐体と、（ｆ）外装筐体外部の空気を吸気口から内部に導入する第１ファンと、（ｇ）吸気口から導入された外装筐体内部の空気を排気口から外部に排出する第２ファンと、（ｈ）第１ファンの駆動により吸気口から導入された空気を光変調装置に導く第１流路と、（ｉ）第２ファンの駆動により、第２制御装置を介して外装筐体内部の空気を第２ファンに導く第２流路と、を備える冷却機構が開示されている。
【先行技術文献】
【特許文献】
【０００５】
【特許文献１】特開２０１０−７４６７１号公報
【特許文献２】特開２０１２−２２６２９８号公報
【発明の概要】
【発明が解決しようとする課題】
【０００６】
しかしながら、特許文献２では、第２ファンの駆動による負圧を利用して、第２制御装置を冷却する構成である。そのため、吸気口と排気口との距離が近い場合には有効であるが、距離が離れる場合には、冷却に必要な負圧を確保する必要があり、第２ファンの回転数を上げる等の対応が必要となることや、第２流路の気密性を上げること等も必要となる。
【０００７】
また、第２制御装置の発熱温度が第２ファンによる排気の温度より高くなる場合には、第２ファンの吐出口に対向した位置に第２制御装置を設置して、第２ファンの吐出する排気で冷却することが考えられる。しかし、第２制御装置が吐出口に対向する排気口を塞ぐことになり、第２制御装置を含め、プロジェクター内部の他の発熱した装置の冷却が十分に行われなくなるという課題がある。
従って、排気ファンの排気温度より高い発熱温度となる装置に対し、効率的に冷却できるプロジェクターが要望されていた。
【課題を解決するための手段】
【０００８】
本発明は、上述した課題の少なくとも一部を解決するためになされたものであり、以下の形態または適用例として実現することが可能である。
【０００９】
［適用例１］本適用例に係るプロジェクターは、光源装置と、光源装置から射出された光束を画像情報に応じて変調する光変調装置と、光変調装置で変調された光束を投写する投写レンズと、を備えるプロジェクターであって、（ａ）光源装置、光変調装置、及び投写レンズを収容する外装筐体と、（ｂ）外装筐体に設置された排気口から外装筐体の内部の空気を外部に排気する排気ファンと、（ｃ）所定の機能を提供すると共に、排気ファンの排気温度よりも高い発熱温度となる機能装置と、を備え、機能装置は、排気ファンの下流側に設置され、排気ファンから吐出される排気の一部が機能装置に流動することを特徴とする。
【００１０】
このようなプロジェクターによれば、機能装置の発熱温度が排気ファンによる排気温度より高くなる機能装置は、排気ファンの下流側に設置され、排気ファンから吐出される排気の一部が、機能装置に流動する。この構成により、排気の一部で機能装置を冷却することができると共に、残りの排気は排気口から排気することで排気ファンの上流側の部材（例えば、光源装置や光変調装置等）を冷却することができる。また、機能装置の冷却に対して、排気ファンから吐出される排気を利用することで、正圧による冷却が行えるため、負圧による冷却に対して、必要な風量を確保し易く、冷却効率を向上させることができる。
【００１１】
［適用例２］上記適用例に係るプロジェクターにおいて、機能装置は、排気ファンの吐出口から外れた位置に設置されていることが好ましい。
【００１２】
このようなプロジェクターによれば、機能装置は、排気ファンの吐出口から外れた位置に設置されているため、吐出口から吐出される排気を遮ることがなく、機能装置を冷却する一部の排気以外の排気を排気口から排気することができ、機能装置の冷却を行うと共に、光源装置や光変調装置等の冷却も効率的に行うことができる。
【００１３】
［適用例３］上記適用例に係るプロジェクターにおいて、外装筐体は、機能装置を流動した排気を外装筐体の外部に排気する第２の排気口を備えていることが好ましい。
【００１４】
このようなプロジェクターによれば、外装筐体は、第２の排気口を備えることにより、機能装置を流動して機能装置の熱を奪った排気を効率的に外装筐体の外部に排気することができるため、更に、機能装置の冷却を効率的に行うことができる。
【００１５】
［適用例４］上記適用例に係るプロジェクターにおいて、排気ファンから吐出される排気を流動する排気ダクトを備え、排気ダクトは、排気口に排気を流動する排気口側ダクトと、機能装置に排気を流動する機能装置側ダクトと、を備えていることが好ましい。
【００１６】
このようなプロジェクターによれば、機能装置側ダクトを用いることにより排気ファンから吐出される排気の一部を効率的に機能装置に流動することができる。また、排気口側ダクトを用いることにより、残りの排気を効率的に排気口に流動させることができる。これにより、機能装置を含め、光源装置や光変調装置等を更に効率的に冷却することができる。
【００１７】
［適用例５］上記適用例に係るプロジェクターにおいて、機能装置は、着脱可能に設置されていることが好ましい。
【００１８】
このようなプロジェクターによれば、機能装置が着脱可能に設置されることにより、機能装置を取り付けたプロジェクターと、機能装置を取り付けないプロジェクターとの、２種類のプロジェクターを容易に実現することができ、ユーザーの選択肢を拡げることができる。また、機能装置を取り付けた場合には、上述するように冷却も可能となる。
【００１９】
［適用例６］上記適用例に係るプロジェクターにおいて、外装筐体には、機能装置の領域を覆う着脱可能なカバー部材を備えていることが好ましい。
【００２０】
このようなプロジェクターによれば、例えば、機能装置を取り付けた場合、機能装置の外形により、外装筐体の形状が、機能装置を取り付けない場合に比べて異形になる場合には、カバー部材でその異形の部分を構成する形状とすることができる。また、機能装置を取り外した仕様のプロジェクターを製造する場合には、異形の部分をなくしたカバー部材を外装筐体に取り付けることができる。これにより、カバー部材以外の外装筐体は共通とし、機能装置の着脱に合わせた形状のカバー部材とすることができる。このため、機能装置の着脱に対応させて、プロジェクターの製造における利便性を向上させると共に、プロジェクターの外観品質をそれぞれで向上させることができる。
【００２１】
［適用例７］上記適用例に係るプロジェクターにおいて、カバー部材は、上述した第２の排気口を備えていることが好ましい。
【００２２】
このようなプロジェクターによれば、機能装置を取り付けた場合、機能装置に合わせた外装筐体を構成する形状をなすカバー部材に第２の排気口を備えることにより、プロジェクターの外観品質を向上すると共に、機能装置の効率的な冷却を行うことができる。
【００２３】
［適用例８］上記適用例に係るプロジェクターにおいて、機能装置は、無線通信が可能な無線装置であって、無線装置の受信部または送信部が、投写レンズから光束が射出される側を向いていることが好ましい。
【００２４】
このようなプロジェクターによれば、機能装置は、無線通信が可能な無線装置であるため、無線装置が効率的に冷却されることで、無線による外部との通信を安定して行うことが可能となる。また、発信装置は通常、プロジェクターと投写面との間に設置されるが、無線装置の受信部または送信部が、投写レンズから光束が射出される側を向いていることにより、プロジェクターと投写面との間において、無線通信の妨げとなる障害を少なくさせることができ、無線装置と確実な通信を行うことができる。
【図面の簡単な説明】
【００２５】
【図１】実施形態に係るプロジェクターの外観斜視図。
【図２】プロジェクターの外観斜視図。
【図３】外装筐体内部の構成を示す概略斜視図。
【図４】無線装置周りの部分的な分解斜視図。
【図５】無線装置周りの部分的な分解斜視図。
【発明を実施するための形態】
【００２６】
以下、実施形態を図面に基づいて説明する。
〔実施形態〕
【００２７】
図１、図２は、実施形態に係るプロジェクター１の外観斜視図であり、詳細には、図１は、前面２ｃ側の下方向から見た斜視図であり、図２は、背面２ｄ側の上方向から見た斜視図である。
【００２８】
図１を含め、以降に示す図では、説明の便宜上、ＸＹＺ直交座標系を併記して、適宜使用する。ＸＹＺ直交座標系は、プロジェクター１からの画像光の投写方向をＺ軸（＋Ｚ方向）とする。そして、Ｚ軸に直交し、水平（左右）方向をＸ軸（投写レンズ３５の先端面に相対して見た場合の右方向が＋Ｘ方向）とし、Ｚ軸とＸ軸とに直交し、鉛直（上下）方向をＹ軸（投写レンズ３５の先端面に相対して見た場合の上方向を＋Ｙ方向）とする。
【００２９】
本実施形態のプロジェクター１は、図１、図２に示すように、概直方体となる外装筐体２で覆われている。また、外装筐体２は、上ケース２１と下ケース２２と前面ケース２３と背面ケース２４とで概ね構成されている。
【００３０】
上ケース２１は、外装筐体２の上面２ａと、右面２ｅ及び左面２ｆの上側（＋Ｙ方向）とを構成している。下ケース２２は、外装筐体２の下面２ｂと、右面２ｅ及び左面２ｆの下側（−Ｙ方向）とを構成している。前面ケース２３は外装筐体２の前面２ｃを構成し、背面ケース２４は外装筐体２の背面２ｄを構成している。外装筐体２は、上面２ａから、右面２ｅ及び左面２ｆにかけて湾曲した状態で繋がる形状となっている。なお、本実施形態では、外装筐体２は、合成樹脂部材で構成されている。
【００３１】
図１に示すように、前面ケース２３の中央部には、投写口２３０が形成されて投写レンズ３５が露出している。また、投写レンズ３５の左側（−Ｘ方向）には、概丸形状の排気口（第１光源用排気口２３１）が形成され、概水平方向に伸びるルーバー２３６を備えるルーバー部材２３５が設置されている。また、投写レンズ３５の右側（＋Ｘ方向）には、左側の第１光源用排気口２３１と同様に、概丸形状の排気口（第２光源用排気口２３２）が形成され、概水平方向に伸びるルーバー２３８を備えるルーバー部材２３７が設置されている。本実施形態のプロジェクター１は、前面２ｃ側の両サイドに第１光源用排気口２３１，第２光源用排気口２３２が設置される構成となっている。
【００３２】
図１に示すように、下面２ｂの前側（＋Ｚ方向）には、プロジェクター１の投写角度を可変する２つの脚部２２０が設置され、後側（−Ｚ方向）中央部には、プロジェクター１の設置を支える固定された固定脚部２２１が設置されている。
【００３３】
なお、下ケース２２の前側で、第１光源用排気口２３１から投写口２３０にかけての下側には、下面２ｂ側に突出したカバー部材７が設置されている。なお、このカバー部材７の内部には、後述する機能装置としての無線通信が可能な無線装置８（図３参照）が設置されている。
【００３４】
図２に示すように、背面ケース２４には、中央部に、後述する電気光学装置を含む光学系を冷却するための外気を吸気する電気光学用吸気口２４０が形成されている。また、電気光学用吸気口２４０の左側（−Ｘ方向）には、後述する第１光源装置３１、電源装置４等を冷却するための外気を吸気する第１光源用吸気口２４１が形成されている。また、電気光学用吸気口２４０の右側（＋Ｘ方向）には、後述する第２光源装置３２等を冷却するための外気を吸気する第２光源用吸気口２４２が形成されている。本実施形態のプロジェクター１は、背面２ｄ側に、３つの吸気口、電気光学用吸気口２４０、第１光源用吸気口２４１、第２光源用吸気口２４２が設置される構成となっている。
【００３５】
また、第１光源用吸気口２４１の上部には、外部の各種装置と接続して信号を送受信する接続端子群２４５が設置されている。接続端子群２４５は、外部の装置（コンピューターやビデオプレーヤー等）からの画像信号や音声信号等を入力可能な接続端子を備えている。接続端子として、例えば、ＨＤＭＩ（登録商標）（High-Definition Multimedia Interface）端子、ビデオ端子、オーディオ端子等を備えている。
【００３６】
図３は、外装筐体２内部の構成を示す概略斜視図である。図３は、上ケース２１、前面ケース２３、制御部（図示省略）、カバー部材７等を取り外した図として示している。
【００３７】
図３に示すように、プロジェクター１は、外装筐体２内部に、ユニット化された光学装置３、制御部、光源装置や制御部等に電力を供給する電源装置４、及びプロジェクター１内部を冷却する冷却機構５等を備えている。
【００３８】
制御部は、ＣＰＵ（Central Processing Unit），ＲＯＭ（Read Only Memory），ＲＡＭ（Random Access Memory）等を備え、コンピューターとして機能するものであり、プロジェクター１の動作を統括制御している。
【００３９】
光学装置３は、制御部の制御に基づき、光源装置から射出された光を光学的に処理し、画像情報（画像信号）に応じた画像光を形成して投写する。
【００４０】
光学装置３の構成と動作を概略説明する。
本実施形態の光学装置３は、光源装置（第１光源装置３１、第２光源装置３２）、第１照明光学系、第２照明光学系、色分離光学系、電気光学装置、色合成光学系、及び投写光学系により構成されている。また、光学装置３は、図３に示すように、上述する光学系が光学用筐体３８に収容されてユニット化されている。
【００４１】
光源装置は、第１光源装置３１と第２光源装置３２との２つの光源装置を備えている。なお、光源装置は固体光源を用いており、本実施形態では、第１光源装置３１、第２光源装置３２ともに、青色光を射出するレーザー光源として構成されている。
【００４２】
第２照明光学系は、第２光源装置３２から射出された光（青色光）を、蛍光層を備えた回転蛍光板により、赤色光と緑色光とを含む蛍光（色光）に変換し、偏光変換素子等を介して対応する電気光学装置（赤色光用の反射型光変調装置と緑色光用の反射型光変調装置）に重畳させる（いずれも図示省略）。
【００４３】
第１照明光学系は、第１光源装置３１から射出された光（青色光）を拡散板、ロッドインテグレーター、偏光変換素子等を介して、対応する電気光学装置（青色光用の反射型光変調装置）に入射させる（いずれも図示省略）。
【００４４】
色分離光学系は、ダイクロイックミラーを備えて構成されている。そして、第２照明光学系から射出された光をダイクロイックミラーにより、赤色光と緑色光とに分離する（いずれも図示省略）。
【００４５】
電気光学装置は、赤色光、緑色光、及び青色光用に対応して、反射型偏光板と反射型光変調装置等をそれぞれ有して構成されている（いずれも図示省略）。
【００４６】
色分離光学系により分離された赤色光、緑色光は、それぞれ対応する電気光学系装置により変調される。詳細には、赤色光、緑色光は、それぞれ対応する反射型偏光板を透過して反射型光変調装置で画像信号に応じて変調されて反射する。変調されて反射した赤色光、緑色光は、それぞれの反射型偏光板で反射される（いずれも図示省略）。
【００４７】
また、第１照明光学系から射出された光（青色光）は、対応する電気光学装置により変調される。詳細には、青色光は、対応する反射型偏光板を透過して反射型光変調装置で画像信号に応じて変調されて反射する。変調されて反射した青色光は、反射型偏光板で反射される（いずれも図示省略）。
【００４８】
色合成光学系は、クロスダイクロイックプリズムを有して構成されている。そして、各反射型偏光板で反射された各色光の変調光は、クロスダイクロイックプリズムの対応する面にそれぞれ入射する（いずれも図示省略）。
【００４９】
そして、クロスダイクロイックプリズムの対応する面に入射した変調された赤色光、緑色光、青色光は、合成されて画像光として射出される。この射出された画像光は、投写光学系を構成する投写レンズ３５に入射し、拡大されて、スクリーン等の投写面に投写される（いずれも図示省略）。
【００５０】
次に、図３を参照して、本実施形態の冷却機構５に関して概略説明する。
本実施形態の冷却機構５は、概ね３つの冷却機構５（冷却機構５Ａ、冷却機構５Ｂ、冷却機構５Ｃ）で構成されている。なお、図３において、冷却機構５における空気の流動を示す矢印Ａ，Ｂ，Ｃは、模式的に示しており、実際には構成部材の内部や外部を流動する。
【００５１】
冷却機構５Ａは、矢印Ａで示すように、電気光学用吸気口２４０から図示しない吸気ファン（例えばシロッコファン等）により吸気した外気（空気）を、図示しないダクト等により、第１照明光学系、第２照明光学系、電気光学装置等に流動させる。そして、冷却機構５Ａは、第１照明光学系、第２照明光学系、電気光学装置等で発熱した熱を奪い温められた空気を、第１排気ファン６１の駆動により、後述する第１排気ダクト５０を介して、第１光源用排気口２３１から外装筐体２外部に排気する。
【００５２】
また、冷却機構５Ａは、制御部等の熱を奪って温められた空気や、外装筐体２内部の温まった空気も、第１排気ファン６１の駆動により第１光源用排気口２３１から外装筐体２外部に排気している。この冷却機構５Ａにより、第１照明光学系、第２照明光学系、電気光学装置、及び、制御部や外装筐体２内部が冷却される。なお、第１排気ファン６１は、本実施形態では軸流ファンを用いている。
【００５３】
冷却機構５Ｂは、矢印Ｂで示すように、第１光源用吸気口２４１から図示しない吸気ファン（例えばシロッコファン等）により吸気した外気（空気）を、図示しないダクト等により、第１光源装置３１や電源装置４等に流動させる。そして、冷却機構５Ｂは、第１光源装置３１や電源装置４等で発熱した熱を奪い温められた空気を、冷却機構５Ａと同様に、第１排気ファン６１の駆動により、第１排気ダクト５０を介して、第１光源用排気口２３１から外装筐体２外部に排気する。この冷却機構５Ｂにより、第１光源装置３１や電源装置４等が冷却される。なお、第１光源装置３１の冷却は、詳細には、第１光源装置３１に接続するヒートシンク３１１に外気を流動させることにより行っている。
【００５４】
第１排気ダクト５０は、筒状に形成され、第１排気ファン６１を固定すると共に、第１排気ファン６１から吐出される温められた空気（排気）を、第１光源用排気口２３１まで流動させる。第１排気ダクト５０の詳細は後述する。
【００５５】
冷却機構５Ａ，５Ｂは、第１排気ファン６１の下流側に設置される無線装置８も冷却する構成となっている。詳細は後述するが、冷却機構５Ａ，５Ｂは、第１排気ファン６１の駆動により、吐出される排気の一部を、第１排気ダクト５０を分岐して、無線装置８に流動させる。そして、冷却機構５Ａ，５Ｂは、無線装置８で発熱した熱を奪い温められた空気（排気）を、後述するカバー部材７に形成される第２の排気口（機能装置用排気口７２）から、プロジェクター１の外部に排気することで、無線装置８を冷却する。
【００５６】
なお、本実施形態では、無線装置８の発熱温度が、第１排気ファン６１による排気温度よりも高くなっている。これにより、本実施形態では、第１排気ファン６１から吐出される排気の一部を利用して、無線装置８を冷却している。
【００５７】
冷却機構５Ｃは、矢印Ｃで示すように、第２光源用吸気口２４２から図示しない吸気ファン（例えばシロッコファン等）により吸気した外気（空気）を、ダクト３２１内を流動させることにより、第２光源装置３２の熱を奪う。詳細には、ダクト３２１内部には、第２光源装置３２で発熱する熱を伝達するヒートパイプ（図示省略）を用いた熱交換装置（図示省略）が構成されている。そして、ダクト３２１内部を空気が流動することにより、熱交換が行われ、第２光源装置３２の熱を奪い、流動した空気が温められる。そして、冷却機構５Ｃは、この温められた空気を、第２排気ファン６２の駆動により、後述する第２排気ダクト５５を介して、第２光源用排気口２３２から外装筐体２外部に排気する。この冷却機構５Ｃにより、第２光源装置３２が冷却される。なお、第２排気ファン６２は、本実施形態では軸流ファンを用いている。
【００５８】
第２排気ダクト５５は、筒状に形成され、第２排気ファン６２を固定すると共に、第２排気ファン６２から吐出される温められた空気（排気）を、第２光源用排気口２３２まで流動させる。
【００５９】
図４、図５は、無線装置８周りの部分的な分解斜視図である。図４は、第１排気ダクト５０、無線装置８、カバー部材７を上側から見た場合の分解斜視図である。図５は、第１排気ダクト５０、無線装置８、カバー部材７を下側から見た場合の分解斜視図である。図３〜図５を参照して、第１排気ダクト５０、無線装置８、カバー部材７のそれぞれの構成、動作、組み立てに関して説明する。
【００６０】
第１排気ダクト５０は、図４に示すように、ダクト本体５１をベースとして、第１排気ファン６１から吐出された排気を、第１光源用排気口２３１に流動させる排気口側ダクト５２と、後述する機能装置（無線装置８）に流動させる機能装置側ダクト５３との２つのダクトに分岐して構成されている。
【００６１】
本実施形態では、ダクト本体５１と排気口側ダクト５２とは、上枠５０Ｕと下枠５０Ｄとを結合することで構成されている。詳細には、上枠５０Ｕと下枠５０Ｄとは、それぞれダクト本体５１を形成する側は概箱状に、排気口側ダクト５２を形成する側は概円筒状に形成され、上枠５０Ｕと下枠５０Ｄとを係合して結合することで、ダクト本体５１と排気口側ダクト５２が構成される。なお、結合された上枠５０Ｕと下枠５０Ｄ（ダクト本体５１、排気口側ダクト５２）は、ネジ９１，９２により下ケース２２に固定される。そして、ダクト本体５１の内部には、第１排気ファン６１が固定され、第１排気ファン６１から吐出される排気は、排気口側ダクト５２に流動する。
【００６２】
なお、排気口側ダクト５２には、図４に示すように、ルーバー５２１が鉛直方向（Ｙ方向）で、前方（＋Ｚ方向）に行くに従い左方向（−Ｘ方向）に向けて傾いて形成されている。本実施形態では、排気口側ダクト５２を流動した排気は、前方の左方向に強制的に方向を変えられて、第１光源用排気口２３１から排気される。なお、第１光源用排気口２３１から排気される排気も、前方の左方向に排気される。
【００６３】
図４に示すように、排気口側ダクト５２の下枠５０Ｄ部分には、多角形の筒状で下方向に突出する接続部５２２が形成されている。この接続部５２２に、後述する機能装置側ダクト５３が接続する。
【００６４】
図５に示すように、下ケース２２には、後述するカバー部材７の平面形状と相似形状で、略矩形状のカバー部材用開口部２２２が形成されている。このカバー部材用開口部２２２を介して、機能装置側ダクト５３、無線装置８、及びカバー部材７が設置される。
【００６５】
図４に示すように、カバー部材用開口部２２２の内部（内側）となる下ケース２２には、機能装置側ダクト５３の後述する接続部５３３の形状に合わせた、開口部２２３が形成されている。また、カバー部材用開口部２２２の内部には、機能装置側ダクト５３を下ケース２２にネジ固定するために、ネジ孔（図示省略）が形成された固定部２２４，２２５が形成されている。
【００６６】
機能装置側ダクト５３は、排気口側ダクト５２を流動する排気の一部を、排気口側ダクト５２の接続部５２２を介して流入させ、流入させた排気を無線装置８に流動させる流路となる。機能装置側ダクト５３は、図４、図５に示すように、上方向（＋Ｙ方向）に若干盛り上がらせて排気を流動させる流動部５３２を設けたダクト本体５３１が形成される。
【００６７】
この流動部５３２の盛り上がった先端部には、多角形の筒状で上方向に突出する接続部５３３が形成されている。この接続部５３３は、排気口側ダクト５２の接続部５２２と相似形状に形成されている。また、機能装置側ダクト５３には、ダクト本体５３１を下ケース２２にネジ固定するための孔部５３４（図５），５３５（図４、図５）が形成されている。
【００６８】
機能装置側ダクト５３を、排気口側ダクト５２に接続し、下ケース２２に固定するには、最初に、機能装置側ダクト５３をカバー部材用開口部２２２から挿入する。そして、接続部５３３を下ケース２２の開口部２２３に挿通し、併せて、排気口側ダクト５２の接続部５２２に挿入する。
【００６９】
その後、機能装置側ダクト５３の孔部５３４，５３５にそれぞれネジ（図示省略）を挿入し、下ケース２２の固定部２２４，２２５にネジ固定する。これにより、機能装置側ダクト５３を排気口側ダクト５２に接続すると共に、下ケース２２に固定することができる。なお、図５では、機能装置側ダクト５３を下ケース２２に固定した状態を図示している（ネジは図示省略している）。
【００７０】
また、機能装置側ダクト５３には、図５に示すように、後述する無線装置８をネジ固定する固定部５３６，５３７が形成されている。また、機能装置側ダクト５３には、後述するカバー部材７をネジ固定する固定部５３８，５３９が形成されている。
【００７１】
ここで、本実施形態の機能装置としての無線装置８の構成及び動作に関して概略説明する。
【００７２】
機能装置としての無線装置８は、所定の機能を提供するために設けられている。本実施形態の無線装置８は、プロジェクター１外部の発信装置（図示省略）から送信された画像情報に対応する無線信号を受信する。本実施形態の無線装置８は、ＷｉＨＤ（Wireless High Definition）方式の高速無線通信が可能に構成され、接続端子群２４５のＨＤＭＩ（登録商標）端子及び制御部に接続される。そして、制御部は、無線装置８から出力された信号に基づいて光学装置３を制御して無線信号に対応する画像を投写させる。なお、本実施形態の発信装置は、プロジェクター１と投写面との間に設置される。
【００７３】
無線装置８は、図４、図５に示すように、平面視矩形状で無線装置８の平面サイズと略同等サイズとなる回路基板８１、無線信号を受信する受信部８２、受信した信号を処理する回路素子（図示省略）、接続端子８３、制御部に接続される制御接続部（図示省略）及びヒートシンク８４等を備えている。
【００７４】
受信部８２は、回路基板８１の長手方向における一方（−Ｘ方向）の端部近傍に実装され、接続端子８３は、回路基板８１の長手方向における他方（＋Ｘ方向）の端部近傍に実装されている。ヒートシンク８４は、回路基板８１の受信部８２が実装された側（前面２ｃ側）の反対側（背面２ｄ側）に設置されている。ヒートシンク８４は、平面視における回路基板８１と同等サイズのベース部８４１と、ベース部８４１から板状に突出する複数のリブ８４２とを有して形成されている。複数のリブ８４２は、回路基板８１の短手方向（上下方向）に延出するように形成されている。
【００７５】
無線装置８は、図３、図４に示すように、第１排気ファン６１の下流側に設置され、また、第１光源用排気口２３１の上流側に設置される。言い換えると、無線装置８は、第１排気ファン６１と第１光源用排気口２３１との間に設置される。また、無線装置８は、第１排気ファン６１の吐出口６１１から第１光源用排気口２３１へ流れる排気の流路から外れた位置に設置され、本実施形態では、第１排気ファン６１より下側（−Ｙ方向）に設置される。なお、本実施形態の無線装置８は、第１光源用排気口２３１からも外れた下側（−Ｙ方向）の位置に設置される。
【００７６】
また、無線装置８は、図４、図５に示すように、受信部８２が前面２ｃ側（＋Ｚ方向）を向くように設置されている。言い換えると、無線装置８は、受信部８２が投写レンズ３５から光束が射出される側を向くように設置されている。また、接続端子８３が＋Ｘ側となるように配置される。
【００７７】
なお、無線装置８は、接続端子８３がＨＤＭＩ（登録商標）ケーブル（図示省略）を介して接続端子群２４５のＨＤＭＩ（登録商標）端子（図示省略）に接続され、制御接続部（図示省略）が図示しないケーブルを介して制御部に接続される。
【００７８】
次に、無線装置８の機能装置側ダクト５３への固定に関して説明する。
なお、機能装置側ダクト５３は、下ケース２２に固定されているものとする。
無線装置８は、図４、図５に示すように、長手方向の両端部にネジ固定用の孔部８５，８６を有している。そして、無線装置８をカバー部材用開口部２２２から挿入し、孔部８５，８６を機能装置側ダクト５３に形成される固定部５３６，５３７に合わせる。次に、ネジ（図示省略）を、孔部８５，８６から挿入し、固定部５３６，５３７にそれぞれネジ締めする。これにより、無線装置８を機能装置側ダクト５３に固定することができる。
【００７９】
なお、無線装置８は第１排気ファン６１の下側（−Ｙ方向）に位置するように設置されるため、無線装置８を機能装置側ダクト５３に固定した場合、無線装置８は、下ケース２２に形成されるカバー部材用開口部２２２の周囲の面よりも下側（−Ｙ方向）に突出（露出）した状態（図３参照）となっている。
【００８０】
なお、無線装置８を機能装置側ダクト５３に固定した場合、無線装置８の上部側と機能装置側ダクト５３のダクト本体５３１との間には、接続部５３３から流入した空気（排気）が流動部５３２を介して無線装置８の上部側に流動するスペース（図示省略）が確保される。
【００８１】
次に、カバー部材７の構成と機能と固定に関して説明する。
カバー部材７は、図１、図４、図５に示すように、無線装置８の領域を覆うと共に、外装を形成する部材である。カバー部材７は、本実施形態では、無線装置８の外形を覆うように、長方形状の箱状に形成されるカバー本体７１を有している。また、カバー本体７１の箱状の先端形状は、下ケース２２のカバー部材用開口部２２２の周囲の面形状に対応させて湾曲して形成されている。
【００８２】
また、カバー本体７１の深さは、カバー部材用開口部２２２の周囲の面よりも下側（−Ｙ方向）に突出した状態で固定される無線装置８全体を覆う深さで形成されている。本実施形態のカバー部材７は、無線装置８を設置したことにより、外装筐体２の面形状が、周囲の面形状と異形となる領域（下側に突出した領域）を形成している。
【００８３】
カバー本体７１の下面７１ｂから背面７１ｄにかかるコーナー部分には、複数の孔７２１で構成される第２の排気口としての機能装置用排気口７２が形成されている。言い換えると、機能装置用排気口７２は、概略、背面２ｄ方向（投写レンズ３５から光束が射出される側とは反対側）を向いて形成されている。また、カバー本体７１の下面７１ｂには、長手方向の両端部にカバー部材７を機能装置側ダクト５３に固定するための孔部７３，７４が形成されている。
【００８４】
次に、カバー部材７の機能装置側ダクト５３への固定に関して説明する。
なお、機能装置側ダクト５３は、下ケース２２に固定され、また、無線装置８は、機能装置側ダクト５３へ固定されているものとする。
【００８５】
最初に、図５に示すように、カバー部材７をカバー部材用開口部２２２の形状に合わせて挿入する。そして、孔部７３，７４を機能装置側ダクト５３に形成される固定部５３８，５３９に合わせる。次に、ネジ（図示省略）を、孔部７３，７４から挿入し、固定部５３８，５３９にそれぞれネジ締めする。これにより、カバー部材７を機能装置側ダクト５３に固定することができる。
【００８６】
なお、カバー部材７を機能装置側ダクト５３に固定した場合、カバー本体７１の下面７１ｂの内面７１ｇ（図４）と、無線装置８の下部側との間には、無線装置８を流動した空気（排気）が流動するスペース（図示省略）が確保される。
【００８７】
次に、無線装置８の冷却に関して説明する。
無線装置８は、上述したように、第１排気ファン６１の下流側に設置されて、第１排気ファン６１により吐出される排気の一部を利用して冷却される。
【００８８】
詳細には、第１排気ファン６１が駆動することにより、吐出口６１１から第１排気ダクト５０に排気が吐出される。その吐出された排気の一部が排気口側ダクト５２の接続部５２２に流入することで、それに連なる機能装置側ダクト５３に流入する。詳細には、排気口側ダクト５２の接続部５２２に排気の一部が流入することで、流入した排気は、機能装置側ダクト５３の接続部５３３に流入し、流動部５３２を介して、無線装置８の上部側のスペースに流入する。
【００８９】
そして、無線装置８の上部側に流入した排気は、無線装置８のヒートシンク８４を上部から下部に向かって流動する。この流動により、排気は、ヒートシンク８４を介して無線装置８で発熱した熱を奪う。そして、ヒートシンク８４を流動したことにより温められた排気は、カバー部材７の内面７１ｇとのスペースを流動して機能装置用排気口７２の各孔７２１からプロジェクター１の外部に排気される。上述した流動により、無線装置８が冷却される。
【００９０】
上述した実施形態によれば、以下の効果が得られる。
本実施形態のプロジェクター１は、無線装置８の発熱温度が、冷却機構５Ａ，５Ｂにおける第１排気ファン６１による排気温度より高くなっている。また、無線装置８は、第１排気ファン６１の下流側に設置され、第１排気ファン６１から吐出される排気の一部が流動される。また、本実施形態では、無線装置８は、第１排気ファン６１の吐出口６１１から外れた位置に設置されている。この構成により、無線装置８は、冷却されると共に、第１排気ファン６１の吐出口６１１や第１光源用排気口２３１の全体を塞ぐことが無いため、冷却機構５Ａ，５Ｂにおいて、第１排気ファン６１の上流側に設置される各部材を冷却することができる。
なお、本実施形態では、第１排気ファン６１の上流側に設置される、第１照明光学系、第２照明光学系、電気光学装置、制御部、第１光源装置３１、電源装置４等の部材が冷却される。また、併せて、外装筐体２内部も冷却される。
【００９１】
本実施形態のプロジェクター１は、無線装置８の冷却に対して、第１排気ファン６１から吐出される排気を利用することで、正圧による冷却が行えるため、負圧による冷却に対して、必要な風量を確保し易く、無線装置８の冷却効率を向上させることができる。また、負圧による冷却に対して、必要な風量を確保し易くなるため、第１排気ファン６１の回転数を上げて、風量を確保する必要がないため、プロジェクター１の騒音を低下させることができる。
【００９２】
本実施形態のプロジェクター１は、第１排気ファン６１から吐出される排気を流動する第１排気ダクト５０を備え、第１排気ダクト５０は、第１光源用排気口２３１に排気を流動する排気口側ダクト５２と、無線装置８に第１排気ファン６１からの排気の一部を流動する機能装置側ダクト５３と、を備えている。この構成により、第１排気ファン６１から吐出される排気の一部を、機能装置側ダクト５３を介して、効率的に無線装置８に流動することができる。また、排気口側ダクト５２を介して、残りの排気を効率的に第１光源用排気口２３１に流動させることができる。これにより、無線装置８を効率的に冷却することができ、また、冷却機構５Ａ，５Ｂにおいて、第１排気ファン６１の上流側に設置される各部材を効率的に冷却することができる。
【００９３】
本実施形態のプロジェクター１は、無線装置８を覆うカバー部材７を備え、カバー部材７には機能装置用排気口７２が形成されている。この構成により、無線装置８を流動して無線装置８の熱を奪った排気を効率的に機能装置用排気口７２から外装筐体２外部に排気するため、無線装置８の冷却を効率的に行うことができる。
【００９４】
本実施形態のプロジェクター１は、無線装置８を覆うカバー部材７を備えるため、本実施形態のように、無線装置８が外装筐体２（下ケース２２）から突出して設置された場合にも、外装筐体２の面形状に合わせたカバー部材７とすることができる。これにより、外装筐体２のデザインを向上させることができる。
【００９５】
本実施形態のプロジェクター１は、機能装置が、無線通信が可能な無線装置８であるため、無線装置８が効率的に冷却されることで、無線による外部との通信を安定して行うことが可能となる。また、本実施形態の発信装置は、プロジェクター１と投写面との間に設置され、無線装置８は、受信部８２が投写レンズ３５から光束が射出される側を向いていることにより、プロジェクター１と投写面（例えばスクリーン）との間において、無線通信の妨げとなる障害を少なくさせることができ、確実な通信を行うことができる。
【００９６】
なお、上述した実施形態に限定されず、その要旨を逸脱しない範囲において種々の変更や改良等を加えて実施することが可能である。変形例を以下に述べる。
【００９７】
前記実施形態のプロジェクター１は、無線装置８が、第１排気ファン６１の吐出口６１１から外れた位置として、第１排気ファン６１より下側（−Ｙ方向）に設置されている。しかし、無線装置８の設置位置として、第１排気ファン６１の吐出口６１１や第１光源用排気口２３１の全体を塞ぐことが無い位置であればよく、また、第１排気ファン６１から吐出される排気の一部により冷却可能となる位置であればよい。
【００９８】
前記実施形態のプロジェクター１において、無線装置８は、機能装置側ダクト５３を備える第１排気ダクト５０を流動した排気により冷却される構成となっている。しかし、第１排気ダクト５０を備えていなくてもよく、第１排気ファン６１から吐出された一部の排気で冷却され、その排気は、第１光源用排気口２３１から排気される構成、または、他の排気口から排気される構成でもよい。
【００９９】
前記実施形態のプロジェクター１は、カバー部材７を備えている。しかし、カバー部材７は備えていなくてもよい。なお、カバー部材７を備えない場合、機能装置用排気口７２と同様の働きを行う排気口を外装筐体２（下ケース２２）の対応する位置に設置することで、無線装置８の冷却効果を向上させることができる。
【０１００】
前記実施形態のプロジェクター１は、無線装置８を装着するプロジェクター１として構成されている。しかし、無線装置８はネジ固定により着脱可能となっているため、無線装置８を取り付けたプロジェクター１と、無線装置８を取り付けないプロジェクターとの、２種類のプロジェクターを容易に実現することができ、ユーザーの選択肢を拡げることができる。
【０１０１】
前記実施形態のプロジェクター１は、無線装置８を覆うカバー部材７を備えている。なお、カバー部材７はネジ固定により着脱可能となっている。これにより、無線装置８を装着しない仕様のプロジェクターを製造する場合には、本実施形態での外装筐体２（上ケース２１、下ケース２２）を共通に使用し、カバー部材７に変えて新たなカバー部材を備えることで対応できる。このため、無線装置８の着脱に対応させて、プロジェクターの製造における利便性を向上させると共に、プロジェクターの外観品質をそれぞれで向上させることができる。
【０１０２】
前記実施形態のプロジェクター１において、無線装置８は、ＷｉＨＤ方式の高速無線通信が可能に構成されているが、この信号に限らず他の無線通信、例えば無線ＬＡＮ（Local Area Network）通信等が可能な無線信号を受信する無線装置８として構成してもよい。また、外部の装置に無線で信号を送信する装置を無線装置８として構成してもよい。
【０１０３】
前記実施形態のプロジェクター１は、無線装置８を機能装置として構成しているが、他の機能を提供する装置で、発熱温度が排気ファンから吐出される吐出温度より高くなる装置であれば、無線装置８に限らず、他の装置を機能装置として構成してもよい。
【０１０４】
前記実施形態のプロジェクター１は、光変調装置として反射型の光変調装置を用いている。しかし、これに限られず、透過型の光変調装置や、マイクロミラー型の光変調装置等、他の方式の光変調装置を採用することができる。なお、マイクロミラー型の光変調装置としては、例えば、ＤＭＤ（Digital Micromirror Device）を採用することができる。
【０１０５】
前記実施形態のプロジェクター１は、光源装置として固体光源であるレーザー光源を用いている。しかし、これに限られず、固体光源として、ＬＥＤ（Light Emitting Diode）、有機ＥＬ（Electro Luminescence）素子、シリコン発光素子等の各種固体発光素子等を用いてもよい。
【符号の説明】
【０１０６】
１…プロジェクター、２…外装筐体、７…カバー部材、８…無線装置（機能装置）、３５…投写レンズ、５０…第１排気ダクト（排気ダクト）、５２…排気口側ダクト、５３…機能装置側ダクト、６１…第１排気ファン（排気ファン）、７２…機能装置用排気口（第２の排気口）、８２…受信部、２３１…第１光源用排気口（排気口）。
【図１】
2014235360.tif 000003
【図２】
2014235360.tif 000004
【図３】
2014235360.tif 000005
【図４】
2014235360.tif 000006
【図５】
2014235360.tif 000007